(57)【特許請求の範囲】
【請求項１】
壁に固定されるべき固定部材と、
該固定部材に取り付けられる被覆部材と
を備え、
幅木又は廻縁として用いられる壁面造作材において、
前記固定部材は、
前記壁に固定されるべき固定本体、
該固定本体に設けられている固定係合部、及び、
前記固定本体と床又は天井とのスペーサ
を有し、
前記被覆部材は、
少なくとも前記固定本体及び固定係合部を被覆する被覆本体、及び、
該被覆本体に設けられており、前記固定係合部に係合する被覆係合部
を有し、
前記固定本体は平板状であり、
前記固定係合部は前記固定本体の床側の端部及び天井側の端部に設けられており、
前記スペーサは平板状であり、前記固定本体の床側又は天井側の端部から延設されており、
前記被覆部材は前記固定部材における前記幅木又は前記廻縁の長さ方向の端部を除く部分に取り付けられており、
前記固定係合部は前記端部及び該端部を除く部分に設けられており、
前記端部に設けられている前記固定係合部に係合するキャップ係合部と、該キャップ係合部が前記固定係合部に係合する場合に該固定係合部に当接するキャップ当接部とを有し、前記端部及び前記被覆部材の前記端部の側の端部を目隠しするキャップ部材を更に備え、
該キャップ部材には、前記キャップ当接部に隣り合うようにして補強リブが設けられていることを特徴とする壁面造作材。
【請求項２】
各２個の前記固定部材及び被覆部材を備え、
２個の前記固定部材は入隅又は出隅にて突き合わされており、
２個の前記被覆部材は２個の前記固定部材の互いに突き合わされた２個の端部を除く部分に取り付けられており、
前記固定係合部は前記２個の端部及び該２個の端部を除く部分に設けられており、
前記２個の端部に設けられている前記固定係合部に係合するコーナー係合部と、該コーナー係合部が前記固定係合部に係合する場合に該固定係合部に当接するコーナー当接部とを有し、２個の前記固定部材同士の間隙並びに２個の前記被覆部材同士の間隙を目隠しするコーナー部材を更に備えることを特徴とする請求項１に記載の壁面造作材。
【請求項３】
２個の前記被覆部材を備え、
２個の前記被覆部材は入隅及び出隅以外にて突き合わされており、
２個の前記被覆部材の互いに突き合わされた端部同士に亘って取り付けられ、該端部同士の相対移動を抑制する抑制部材を更に備えることを特徴とする請求項１又は２に記載の壁面造作材。
【発明の詳細な説明】
【技術分野】
【０００１】
本発明は、幅木又は廻縁として用いられる壁面造作材に関する。
【背景技術】
【０００２】
従来、固定部材及び被覆部材を備える幅木が提案されている（特許文献１参照）。
特許文献１に記載されている幅木は、固定部材及び被覆部材（文中「固定部」及び「化粧部」）と不陸調整部とを備える。固定部材は壁にビス留めされる。不陸調整部は軟質であり、固定部材と床との間に配されて、床の不陸（凹凸）を吸収する。被覆部材は固定部材を被覆することによって、固定部材のビス留めの跡を目隠しする。
【先行技術文献】
【特許文献】
【０００３】
【特許文献１】特許第３９４５４７８号公報
【発明の概要】
【発明が解決しようとする課題】
【０００４】
特許文献１に記載の幅木から不陸調整部を省略すると、幅木を構成する部材の数が減るので、幅木の製造コストが低減される。
使用者は斜め上から幅木を見る。故に、幅木が床から適長離隔していれば、幅木の下方の不陸は幅木によって目隠しされ、不陸調整部がなくても、使用者には見え難い。
しかしながら、床から適長離隔するよう幅木を位置決めすることは困難である。即ち、幅木の施工性が悪い。
【０００５】
本発明は斯かる事情に鑑みてなされたものであり、その主たる目的は、製造コストの低減と施工性の向上とを両立させることができる壁面造作材を提供することにある。
【課題を解決するための手段】
【０００６】
本発明に係る壁面造作材は、壁に固定されるべき固定部材と、該固定部材に取り付けられる被覆部材とを備え、幅木又は廻縁として用いられる壁面造作材において、前記固定部材は、前記壁に固定されるべき固定本体、該固定本体に設けられている固定係合部、及び、前記固定本体と床又は天井とのスペーサを有し、前記被覆部材は、少なくとも前記固定本体及び固定係合部を被覆する被覆本体、及び、該被覆本体に設けられており、前記固定係合部に係合する被覆係合部を有し、前記固定本体は平板状であり、前記固定係合部は前記固定本体の床側の端部及び天井側の端部に設けられており、前記スペーサは平板状であり、前記固定本体の床側又は天井側の端部から延設されており、前記被覆部材は前記固定部材における前記幅木又は前記廻縁の長さ方向の端部を除く部分に取り付けられており、前記固定係合部は前記端部及び該端部を除く部分に設けられており、前記端部に設けられている前記固定係合部に係合するキャップ係合部と、該キャップ係合部が前記固定係合部に係合する場合に該固定係合部に当接するキャップ当接部とを有し、前記端部及び前記被覆部材の前記端部の側の端部を目隠しするキャップ部材を更に備え、該キャップ部材には、前記キャップ当接部に隣り合うようにして補強リブが設けられていることを特徴とする。
【０００８】
本発明に係る壁面造作材は、各２個の前記固定部材及び被覆部材を備え、２個の前記固定部材は入隅又は出隅にて突き合わされており、２個の前記被覆部材は２個の前記固定部材の互いに突き合わされた２個の端部を除く部分に取り付けられており、前記固定係合部は前記２個の端部及び該２個の端部を除く部分に設けられており、前記２個の端部に設けられている前記固定係合部に係合するコーナー係合部と、該コーナー係合部が前記固定係合部に係合する場合に該固定係合部に当接するコーナー当接部とを有し、２個の前記固定部材同士の間隙並びに２個の前記被覆部材同士の間隙を目隠しするコーナー部材を更に備えることを特徴とする。
【０００９】
本発明に係る壁面造作材は、２個の前記被覆部材を備え、２個の前記被覆部材は入隅及び出隅以外にて突き合わされており、２個の前記被覆部材の互いに突き合わされた端部同士に亘って取り付けられ、該端部同士の相対移動を抑制する抑制部材を更に備えることを特徴とする。
【００１１】
本発明にあっては、固定部材の固定本体を壁に固定する際に、作業者は、固定本体のスペーサを利用して床（又は天井）に対する固定本体の位置決めを行なう。
次に、作業者は、固定本体の固定係合部に被覆部材の被覆係合部を係合させることによって、固定部材を被覆部材の被覆本体で被覆する。このとき、被覆部材の位置決めを行なう必要はない。
以上の結果、壁面造作材が床（又は天井）から適長離隔するので、壁面造作材の下方（又は上方）の不陸は壁面造作材によって目隠しされ、使用者には見え難い。
不陸調整部は備えていないので、これを配置する工程は不要である。
【００１２】
本発明にあっては、平板状のスペーサを壁に沿って配すると目立ち難い。
【００１３】
本発明にあっては、入隅又は出隅にて２個の固定部材が突き合わされている。コーナー部材は、入隅又は出隅にて、２個の固定部材同士の間隙と、２個の被覆部材に取り付けられている２個の被覆部材同士の間隙とを目隠しする。
２個の固定部材は何れも壁に固定されているので、温度又は湿度等の変化に伴って、２個の固定部材の互いに突き合わされる２個の端部（以下、２個の固定端部という）同士が接離することが抑制される。
一方、２個の被覆部材は、係合によって固定部材に取り付けられているので、温度又は湿度等の変化に伴って、２個の被覆部材における２個の固定端部に近い端部（以下、２個の被覆端部という）同士が接離する虞がある。
【００１４】
しかしながら、２個の固定端部同士の離隔距離に比べて２個の被覆端部同士の離隔距離は長い。何故ならば、２個の被覆部材は、２個の固定端部には取り付けられていないからである。故に、２個の被覆端部同士が接近したとしても、両者の無用な衝突が生じる虞はない。
また、２個の被覆端部同士が離隔して２個の被覆端部同士の間隙が広がったとしても、２個の被覆部材同士の間隙はコーナー部材によって目隠しされるので、特段の問題はない。
【００１５】
被覆部材の被覆係合部及びコーナー部材のコーナー係合部は、何れも固定部材の固定係合部に係合する。つまり、固定部材は、コーナー係合部に係合すべき係合部を固定係合部とは別個に有しているわけではない。従って、例えば１個の長い固定部材を２個の短い固定部材に分割して用いることができる。
【００１６】
作業者がコーナー係合部を固定係合部に係合させると、固定係合部はコーナー部材のコーナー当接部に当接する。つまり、コーナー係合部が固定係合部に係合する場合に壁面造作材に加えられる外力は、コーナー当接部によって受け止められる。故に、係合時に加えられる外力によって壁面造作材に無用な変形又は損傷等が生じることを抑制することができる。
【００１７】
本発明にあっては、入隅及び出隅以外にて２個の短い被覆部材を突き合わせることによって、実質的に、１個の長い被覆部材を得ることができる。
２個の被覆部材の互いに突き合わされる２個の端部同士が、温度又は湿度等の変化に伴って接離する虞はない。何故ならば、２個の端部同士に亘って取り付けられている抑制部材が、２個の端部同士の相対移動を抑制するからである。
【００１８】
本発明にあっては、キャップ部材が、固定部材における幅木又は廻縁の長さ方向の端部と被覆部材における幅木又は廻縁の長さ方向の端部とを目隠しする。
被覆部材の被覆係合部及びキャップ部材のキャップ係合部は、何れも固定部材の固定係合部に係合する。つまり、固定部材は、キャップ係合部に係合すべき係合部を固定係合部とは別個に有しているわけではない。従って、例えば１個の長い固定部材を２個の短い固定部材に分割したとしても、短い固定部材夫々における幅木又は廻縁の長さ方向の端部にキャップ部材を取り付けることができる。
【００１９】
作業者がキャップ係合部を固定係合部に係合させると、固定係合部はキャップ部材のキャップ当接部に当接する。つまり、キャップ係合部が固定係合部に係合する場合に壁面造作材に加えられる外力は、キャップ当接部によって受け止められる。故に、係合時に加えられる外力によって壁面造作材に無用な変形又は損傷等が生じることを抑制することができる。
【発明の効果】
【００２０】
本発明の壁面造作材による場合、固定部材及び被覆部材と不陸調整部とを備える従来の壁面造作材に比べて、不陸調整部を備えていない分だけ、壁面造作材の製造コストを低減することができる。
また、従来の壁面造作材に比べて部材の個数が少ないので、施工工数を低減することができる。更に、固定部材が有するスペーサを利用すれば、床又は天井から適長離隔するよう壁面造作材を位置決めすることは容易である。以上の結果、壁面造作材の施工性を向上させることができる。
【図面の簡単な説明】
【００２１】
【図１】本発明の実施の形態１に係る壁面造作材の構成を略示する斜視図である。
【図２】図１に示す壁面造作材からコーナー部材を省いた状態を略示する斜視図である。
【図３】壁面造作材が備える固定部材及び被覆部材の構成を略示する分解斜視図である。
【図４】固定部材及び被覆部材の構成を略示する断面図である。
【図５】コーナー部材の構成を略示する側面図である。
【図６】本発明の実施の形態２に係る壁面造作材の構成を略示する斜視図である。
【図７】壁面造作材が備えるコーナー部材の構成を略示する側面図である。
【図８】本発明の実施の形態３に係る壁面造作材が備えるキャップ部材の構成を略示する側面図である。
【図９】壁面造作材の左端部側のキャップ部材の構成を略示する背面図である。
【図１０】壁面造作材の右端部側のキャップ部材の構成を略示する背面図である。
【図１１】本発明の実施の形態４に係る壁面造作材の構成を略示する分解斜視図である。
【図１２】本発明の実施の形態５に係る壁面造作材の構成を略示する断面図である。
【発明を実施するための形態】
【００２２】
以下、本発明を、その実施の形態を示す図面に基づいて詳述する。以下の説明では、図において矢符で示す上下、前後、及び左右を使用する。
【００２３】
実施の形態  １．
図１は、本発明の実施の形態１に係る壁面造作材１の構成を略示する斜視図である。
本実施の形態の壁面造作材１は幅木として適用され、室内の２面の壁Ｗ１，Ｗ２が直交している入隅の床Ｆとの境界部分に取り付けられている。
壁面造作材１は、夫々固定部材２及び被覆部材３を有する幅木本体１１，１２と、コーナー部材４とを備えている。
【００２４】
幅木本体１１は、長さ方向が左右方向、幅方向が上下方向、厚み方向が前後方向になるよう、壁Ｗ１に取り付けられている。
幅木本体１２は、長さ方向が前後方向、幅方向が上下方向、厚み方向が左右方向になるよう、壁Ｗ２に取り付けられている。
入隅においては、幅木本体１１の左端部と幅木本体１２の後端部とが突き合わされている。コーナー部材４は、幅木本体１１の左端部と幅木本体１２の後端部との間隙を目隠しする。
【００２５】
幅木本体１１，１２は、取り付けられている位置及び向きを除けば、同様の構成である。
以下では、幅木本体１１（又は幅木本体１２）について、壁Ｗ１（又は壁Ｗ２）に近い側を壁側といい、壁Ｗ１（又は壁Ｗ２）から遠い側を手前側といい、左右方向（又は前後方向）を横方向という。また、入隅に近い側（幅木本体１１における左側及び幅木本体１２における後ろ側）を入隅側といい、入隅から遠い側（幅木本体１１における右側及び幅木本体１２における前側）を非入隅側という。
【００２６】
図２は、図１に示す壁面造作材１からコーナー部材４を省いた状態を略示する斜視図である。
図３と図４とは、固定部材２及び被覆部材３の構成を略示する分解斜視図と断面図とである。
【００２７】
固定部材２は合成樹脂を用いてなり、固定本体２０と固定係合部２１，２２とスペーサ２３とを備えている。
固定本体２０は、長手方向が横方向であり、短手方向が上下方向である縦姿勢の矩形平板状である。固定本体２０は、壁Ｗ１に沿って配される。固定本体２０の上辺部及び下辺部は、固定本体２０の天井側の端部及び床側の端部である。
【００２８】
固定係合部２１，２２は、固定本体２０に突設されている。
更に詳細には、固定係合部２１は、係合支持部２１１及び係合本体部２１２を有する。
係合支持部２１１は横方向の条状部であり、固定本体２０の上辺部から手前側へ突出している。係合支持部２１１の横方向の長さは固定本体２０の上辺部の横方向の長さと同じである。
係合本体部２１２は横方向の条状部であり、係合支持部２１１の上部から上側へ突出している。即ち、係合本体部２１２は係合支持部２１１に支持されている。
係合支持部２１１の手前側先端部から係合本体部２１２の上側先端部に亘って、傾斜面が設けられている。この傾斜面は、壁側ほど高くなる。
【００２９】
固定係合部２２は、係合支持部２２１及び係合本体部２２２を有する。
係合支持部２２１は横方向の条状部であり、固定本体２０の下辺部から手前側へ突出している。係合支持部２２１の横方向の長さは固定本体２０の下辺部の横方向の長さと同じである。
係合本体部２２２は横方向の条状部であり、係合支持部２２１の下部から下側へ突出している。即ち、係合本体部２２２は係合支持部２２１に支持されている。
係合支持部２２１の手前側先端部から係合本体部２２２の下側先端部に亘って、傾斜面が設けられている。この傾斜面は、壁側ほど低くなる。
【００３０】
スペーサ２３は、固定本体２０から延設されている。
更に詳細には、スペーサ２３は、長手方向が横方向であり、短手方向が上下方向である縦姿勢の矩形平板状である。スペーサ２３の厚さは固定本体２０の厚さと同じである。スペーサ２３は固定本体２０の下端部から下側へ突出している。スペーサ２３は、壁Ｗ１に沿って配される。スペーサ２３の下辺部は、少なくとも一部が床Ｆに接する。即ち、スペーサ２３は、固定本体２０と床Ｆとの間に介在する。
以上の固定本体２０及びスペーサ２３は、壁側から見ると、１枚の矩形平板のように見える。換言すれば、この矩形平板の固定係合部２２の突設位置から上側が固定本体２０であり、下側がスペーサ２３である。
なお、スペーサ２３の厚さは固定本体２０の厚さとは異なっていてもよい。
【００３１】
被覆部材３は合成樹脂を用いてなり、被覆本体３０と被覆係合部３１，３２と化粧シート３３を備えている。
被覆本体３０は、第１カバー３０１及び第２カバー３０２を有する。
第１カバー３０１は、長手方向が横方向であり、短手方向が上下方向である縦姿勢の矩形平板状である。第１カバー３０１は固定部材２０を手前側から覆う部分である。
【００３２】
第２カバー３０２は、長手方向が横方向である傾斜姿勢の矩形平板状である。第２カバー３０２の傾斜は、手前側ほど低くなる傾斜である。第２カバー３０２の下辺部は、第１カバー３０１の上辺部と一体である。第２カバー３０２の厚さは第１カバー３０１の厚さと同じである。第２カバー３０２の短手方向の長さは第１カバー３０１の短手方向の長さよりも短い。第２カバー３０１は固定部材２０を手前上側から覆う部分である。
第２カバー３０２が手前側ほど低くなるよう傾斜している理由は、被覆部材３の上部に塵又は埃等が堆積し難くするためである。
【００３３】
被覆係合部３１，３２は、被覆本体３０に突設されている。
更に詳細には、被覆係合部３１は、係合支持部３１１及び係合本体部３１２を有する。
係合支持部３１１は横方向の条状部であり、被覆本体３０の第２カバー３０２の上辺部から壁側へ突出している。係合支持部３１１の横方向の長さは第２カバー３０２の上辺部の横方向の長さと同じである。係合支持部３１１は固定部材２０を上側から覆う部分である。
係合本体部３１２は横方向の条状部であり、係合支持部３１１の先端部（壁側端部）から下側へ突出している。即ち、係合本体部３１２は係合支持部３１１に支持されている。係合本体部３１２の壁側部分には、手前側ほど低くなる傾斜面が設けてある。
【００３４】
被覆係合部３２は、係合支持部３２１及び係合本体部３２２を有する。
係合支持部３２１は横方向の条状部であり、被覆本体３０の第１カバー３０１の下辺部から壁側へ突出している。係合支持部３２１の横方向の長さは第１カバー３０１の下辺部の横方向の長さと同じである。
係合本体部３２２は横方向の条状部であり、係合支持部３２１の先端部（壁側端部）から上側へ突出している。即ち、係合本体部３２２は係合支持部３２１に支持されている。
係合本体部３１２の壁側部分には、手前側ほど高くなる傾斜面が設けてある。
被覆係合部３２は、固定部材２０の固定係合部２２を下側から覆い、スペーサ２３の上部を前側から覆う。
化粧シート３３（図４以外は図示省略）は、被覆本体３０の手前側の面を全面的に覆っている。
【００３５】
図５は、コーナー部材４の構成を略示する側面図である。
コーナー部材４は入隅専用のものである。コーナー部材４は合成樹脂を用いてなり、コーナー本体４０と、各２個のコーナー係合部４１，４１、コーナー係合部４２，４２、コーナー当接部４３，４３、及びコーナー当接部４４，４４と、４個の補強リブ４５，４５，…とを備えている。
コーナー部材４は、幅木本体１１に対応する第１部分４ａと、幅木本体１２に対応する第２部分４ｂと、第１部分４ａ及び第２部分４ｂを連結し、入隅の角部に対応する第３部分４ｃとを有する。コーナー部材４は平面視Ｌ字状であり、コーナー部材４の第１部分４ａ、第２部分４ｂ、及び第３部分４ｃは、Ｌ字の一側部、他側部、及び屈曲部に相当する。コーナー部材４の第１部分４ａ及び第２部分４ｂの構成は、連結部を中心とする鏡面対象をなしている。
【００３６】
コーナー本体４０は平面視Ｌ字状であり、第１部分４ａ、第２部分４ｂ、及び第３部分４ｃを有する。コーナー本体４０は、Ｌ字の外側が壁側である。コーナー本体４０は、夫々第１部分４ａと第３部分４ｃと第２部分４ｂとに亘る第１カバー４６、第２カバー４７、及び第３カバー４８を有する。図１及び図５においては、第１部分４ａにあるものの符号４６〜４８の末尾に「ａ」を付し、第２部分４ｂにあるものの符号の末尾に「ｂ」を付してある。
コーナー本体４０の第１部分４ａ及び第２部分４ｂ夫々には、各１個のコーナー係合部４１，４２、コーナー当接部４３，４４、及び２個の補強リブ４５，４５が設けられている。図５においては、第１部分４ａに設けられているものの符号４１〜４５の末尾に「ａ」を付し、第２部分４ｂに設けられているものの符号の末尾に「ｂ」を付してある。
【００３７】
第１カバー４６及び第２カバー４７は被覆部材３における被覆本体３０の第１カバー３０１及び第２カバー３０２に類似している。即ち、第１カバー４６は縦姿勢の板状であり、第２カバー４７は傾斜姿勢の板状である。第１カバー４６は固定部材２及び被覆部材３を手前側から覆い、第２カバー４７は固定部材２及び被覆部材３を手前上側から覆う。
第３カバー４８は被覆部材３における被覆係合部３１の係合支持部３１１に対応する横姿勢の板状である。第３カバー４８は固定部材２及び被覆部材３を上側から覆う。
【００３８】
各コーナー係合部４１，４２は、コーナー本体４０に突設されている。
コーナー本体４０の第１部分４ａ（又は第２部分４ｂ）において、コーナー係合部４１は、コーナー本体４０の第３カバー４８の壁側端部から下側へ突出している舌片状である。コーナー係合部４１の横方向の長さは、コーナー本体４０の第１部分４ａ（又は第２部分４ｂ）の横方向の長さの半分程度である。コーナー係合部４１は、コーナー本体４０の第１部分４ａ（又は第２部分４ｂ）の入隅側の半分に配されている。
コーナー係合部４１の下端部の位置は、コーナー本体４０の第１カバー４６と第２カバー４７との境界部分の上下方向の位置より上側である。
コーナー係合部４１の先端部の壁側部分には、手前側ほど低くなる傾斜面が設けてある。
【００３９】
コーナー係合部４２は、係合支持部４２１及び係合本体部４２２を有する。
コーナー本体４０の第１部分４ａ（又は第２部分４ｂ）において、係合支持部４２１は、コーナー本体４０の第１カバー４６の下辺部（即ちコーナー本体４０の下端部）近傍から壁側へ突出している横姿勢の平板状である。係合本体部４２２は横方向の条状部であり、係合支持部４２１の先端部から上側へ突出している。即ち、係合本体部４２２は係合支持部４２１に支持されている。
係合本体部４２２の先端部の壁側部分には、手前側ほど高くなる傾斜面が設けてある。
【００４０】
コーナー係合部４２はコーナー係合部４１の下方に位置している。コーナー係合部４２の横方向の長さはコーナー係合部４１の横方向の長さに等しい。コーナー係合部４２はコーナー本体４０の下端部から適長離隔しているが、コーナー本体４０の下端部からコーナー係合部４２までの距離は、固定部材２のスペーサ２３の上下方向の長さよりは短い。
【００４１】
コーナー本体４０の第１部分４ａ（又は第２部分４ｂ）において、コーナー当接部４３，４４及び補強リブ４５，４５夫々は、壁側へ突出した横姿勢のリブ状である。コーナー当接部４３、補強リブ４５，４５、及びコーナー当接部４４は、コーナー係合部４１とコーナー係合部４２との間にてこの順に上から下に等間隔で並設されている。コーナー当接部４３は、コーナー本体４０の第１カバー４６における第１カバー４６と第２カバー４７との境界部分に配されている。コーナー当接部４３はコーナー係合部４２の近傍に配されているが、コーナー当接部４３の上下方向の位置は、コーナー係合部４２の係合本体部４２２の上端部の上下方向の位置よりも高い。
補強リブ４５はコーナー本体４０を補強している。
【００４２】
次に、壁Ｗ１，Ｗ２に対する壁面造作材１の取り付けを説明する。
壁面造作材１を取り付ける作業者は、幅木本体１１となすべき固定部材２の固定本体２０を、両面テープＴを用いて壁Ｗ１に固定する。同様に、作業者は、幅木本体１２となすべき固定部材２の固定本体２０を、両面テープＴを用いて壁Ｗ２に固定する。
このとき、作業者は、固定部材２の固定本体２０の壁側の面を、両面テープＴを介して壁Ｗ１又は壁Ｗ２に接触させることによって、固定本体２０の壁Ｗ１又は壁Ｗ２に対する鉛直方向の位置決めを行なう。また、作業者は、固定部材２のスペーサ２３を床Ｆに接触させることによって、固定本体２０の上下方向の位置決めを行なう。更に、作業者は、幅木本体１１となすべき固定部材２の固定本体２０の入隅側端部と、幅木本体１２となすべき固定部材２の固定本体２０の入隅側端部とを、入隅にて突き合わせる。
なお、壁Ｗ１，Ｗ２に対する固定本体２０の固定は、両面テープＴに替えて、ビス、釘、又はステープル等を用いたものであってもよく、両面テープＴ、ビス、釘、及びステープル等の内の２つ以上が併用されてもよい。
【００４３】
次いで、作業者は、幅木本体１１，１２夫々について、固定部材２の入隅側端部以外に被覆部材３を取り付ける。ここで、固定部材２の入隅側端部における被覆部材３が取り付けられない範囲は、横方向の長さがコーナー係合部４１の横方向の長さと同程度である。
このために、作業者は、固定係合部２１，２２が被覆係合部３１，３２間に押し込まれるように、被覆部材３に対して壁側へ外力を加える。
【００４４】
すると、被覆部材３の被覆係合部３１の傾斜面が固定部材２の固定係合部２１の傾斜面に摺動して固定係合部２１の係合本体部２１２を乗り越え、被覆係合部３１の係合本体部３１２の先端部が、係合支持部２１１と係合本体部２１２との境界部分に係合する。また、被覆部材３の被覆係合部３２の傾斜面が固定部材２の固定係合部２２の傾斜面に摺動して固定係合部２２の係合支持部２２１を乗り越え、被覆係合部３２の係合本体部３２２の先端部が、係合支持部２２１と係合本体部２２２との境界部分に係合する。被覆部材３の位置決めは、固定係合部２１，２２に対する被覆係合部３１，３２の係合によって行なわれる。
【００４５】
以上の結果、固定部材２の入隅側端部を除く固定本体２０、固定係合部２１，２２、及びスペーサ２３の上部は、被覆部材３によって上側、手前側、及び下側から覆われる。
【００４６】
次に、作業者は、幅木本体１１，１２夫々の固定部材２０の入隅側端部に、コーナー部材４を取り付ける。
【００４７】
このために、作業者は、幅木本体１１（及び幅木本体１２）の入隅側端部における固定部材２の固定係合部２１，２２がコーナー部材４のコーナー本体の第１部分４ａ（及び第２部分４ｂ）におけるコーナー係合部４１，４２間に押し込まれるように、コーナー部材４に対して壁側へ外力を加える。
【００４８】
すると、コーナー部材４のコーナー係合部４１の傾斜面が固定部材２の固定係合部２１の傾斜面に摺動して固定係合部２１の係合本体部２１２を乗り越え、コーナー係合部４１の先端部が、係合支持部２１１と係合本体部２１２との境界部分に係合する。また、コーナー部材４のコーナー係合部４２の傾斜面が固定部材２の固定係合部２２の傾斜面に摺動して固定係合部２２の係合支持部２２１を乗り越え、コーナー係合部４２の係合本体部４２２の先端部が、係合支持部２２１と係合本体部２２２との境界部分に係合する。コーナー部材４の位置決めは、固定係合部２１，２２に対するコーナー係合部４１，４２の係合によって行なわれる。
【００４９】
コーナー部材４に加えられた外力は、作業者による係合作業時にコーナー係合部４１，４２から固定係合部２１，２２に伝達する。このとき、固定係合部２１がコーナー当接部４３に当接して互いを支持する。同様に、固定係合部２２がコーナー当接部４４に当接して互いを支持する。従って、係合作業時の外力による固定部材２，２若しくはコーナー部材４の変形又は破損等が抑制される。
【００５０】
以上の結果、入隅にて突き合わされている固定部材２，２夫々の入隅側端部における各固定本体２０、固定係合部２１，２２、及びスペーサ２３の上部と、被覆部材３，３夫々の入隅側端部とは、コーナー部材４によって上側、手前側、及び下側から覆われる。ここで、各被覆部材３の入隅側端部は、コーナー部材４におけるコーナー本体４０の第１部分４ａ又は第２部分４ｂの非入隅側の半分に覆われる。
つまり、コーナー部材４は、入隅における固定部材２，２同士の間隙及び被覆部材３，３同士の間隙を目隠しする。
【００５１】
スペーサ２３の下部は被覆部材３にもコーナー部材４にも覆われず、壁面造作材１の下側の床Ｆは壁面造作材１に覆われないので、何れも露出する。しかしながら、スペーサ２３は壁Ｗ１又は壁Ｗ２に沿う平板状であり、しかも、壁面造作材１の使用者は、斜め上側から壁Ｗ１，Ｗ２と床Ｆとの境界部分を視認する。この場合、スペーサ２３の下部及び壁面造作材１の下側の床Ｆは、何れも被覆部材３又はコーナー部材４によって目隠しされる。故に、スペーサ２３も壁面造作材１の下側の床Ｆの不陸も目立たない。換言すれば、使用者に見えるのは化粧シート３３に覆われた被覆部材３及びコーナー部材４だけであるので、壁Ｗ１，Ｗ２と床Ｆとの境界部分及び入隅における美観が向上する。
【００５２】
また、固定部材２が壁Ｗ１又は壁Ｗ２に対してビス、釘、又はステープル等で固定されていたとしても、ビス、釘、又はステープル等による固定の痕跡は、被覆部材３又はコーナー部材４によって目隠しされるので、壁面造作材１の美観が向上する。
【００５３】
被覆部材３の被覆係合部３１，３２は固定部材２の固定係合部２１，２２に対して係脱可能に係合し、コーナー部材４のコーナー係合部４１，４２は固定部材２の固定係合部２１，２２に対して係脱可能に係合するので、被覆部材３及びコーナー部材４夫々は固定部材２に対して着脱可能である。
【００５４】
固定部材２は壁Ｗ１又は壁Ｗ２に固定されているので、温度又は湿度等の変化に伴う横方向の伸縮は生じ難い。
一方、被覆部材３は係合によって固定部材２に取り付けられているので、温度又は湿度等の変化に伴う横方向の伸縮は生じ易い。
【００５５】
幅木本体１１，１２の被覆部材３，３が共に伸長すると、被覆部材３，３間の間隙は狭まるが、被覆部材３，３同士が衝突することはない。何故ならば、被覆部材３の伸長の長さはコーナー係合部４１の横方向の長さよりも短く、被覆部材３の入隅側端部が固定部材２の入隅側端部よりも横方向に突出することはないからである。
幅木本体１１，１２の被覆部材３，３が共に収縮すると、被覆部材３，３間の間隙は広がるが、被覆部材３，３間の間隙が露出することはない。何故ならば、被覆部材３の収縮の長さは、コーナー本体４０の第１部分４ａ又は第２部分４ｂの非入隅側の半分の横方向の長さよりも短く、被覆部材３の入隅側端部がコーナー部材４の非入隅側端部よりも非入隅側に退出することはないからである。
【００５６】
ところで、スペーサ２３の上下方向の長さが長すぎると被覆部材３及びコーナー部材４による目隠しの効果が減少する。かといって、スペーサ２３の上下方向の長さが短すぎると固定部材２に対する被覆部材３及びコーナー部材４の取り付けが困難になる。従って、スペーサ２３の上下方向の長さは、被覆部材３及びコーナー部材４による目隠しの確実性と被覆部材３及びコーナー部材４の取り付けの容易さとが両立するよう適宜に設計される。
【００５７】
以上のような壁面造作材１は、従来の不陸調整部に相当するものは備えていないので、これを配置する工程は不要である。しかも、固定部材２のスペーサ２３を利用して、壁面造作材１を容易に位置決めすることができる。つまり、壁面造作材１は施工性が向上している。また、不陸調整部を備える壁面造作材に比べて部品点数が減少しているので、壁面造作材１の製造コストは安価である。
【００５８】
被覆部材３及びコーナー部材４は、何れも固定部材２の固定係合部２１，２２に対する係合によって固定部材２に取り付けられる。つまり、固定部材２においては、被覆部材３に関する係合部とコーナー部材４に関する係合部とが共通化されているので、被覆部材３に関する係合部とコーナー部材４に関する係合部とが別個に設けられている場合よりも、固定部材２の形状を単純化することができる。
幅木本体１１の固定部材２（又は被覆部材３）と幅木本体１２の固定部材２（又は被覆部材３）とは、例えば個別に押出成形されてなる構成でもよく、又は、押出成形によって得られた１本の長い固定部材（又は被覆部材）を２分割することによって得られる構成でもよい。
【００５９】
実施の形態  ２．
図６は、本発明の実施の形態２に係る壁面造作材１の構成を略示する斜視図である。
図７は、壁面造作材１が備えるコーナー部材５の構成を略示する側面図である。
図６及び図７は、実施の形態１の図１及び図５に対応する。
本実施の形態の壁面造作材１は、実施の形態１の壁面造作材１と略同様の構成である。以下では、実施の形態１との差異について説明し、その他、実施の形態１に対応する部分には同一符号を付してそれらの説明を省略する。
【００６０】
本実施の形態の壁面造作材１は幅木として適用され、室内の２面の壁Ｗ１，Ｗ２が直交している出隅の床Ｆとの境界部分に取り付けられている。
壁面造作材１は、実施の形態１の幅木本体１１，１２と同じ幅木本体１１，１２と、コーナー部材５とを備えている。
出隅においては、幅木本体１１の右端部と幅木本体１２の前端部とが突き合わされている。コーナー部材５は、幅木本体１１の右端部と幅木本体１２の前端部との間隙を目隠しする。
以下では、出隅に近い側（幅木本体１１における右側及び幅木本体１２における前側）を出隅側という。
【００６１】
コーナー部材５は出隅専用のものである。コーナー部材５は合成樹脂を用いてなり、幅木本体１１に対応する第１部分５ａと、幅木本体１２に対応する第２部分５ｂと、第１部分５ａ及び第２部分５ｂを連結し、出隅の角部に対応する第３部分５ｃとを有する。コーナー部材５は、コーナー本体５０と、各２個のコーナー係合部５１，５１、コーナー係合部５２，５２、コーナー当接部５３，５３、及びコーナー当接部５４，５４と、４個の補強リブ５５，５５，…とを備えている。コーナー本体５０と、各コーナー係合部５１、コーナー係合部５２、コーナー当接部５３、コーナー当接部５４、及び補強リブ５５とは、実施の形態１のコーナー本体４０と、各コーナー係合部４１、コーナー係合部４２、コーナー当接部４３、コーナー当接部４４、及び補強リブ４５に相当する。
ただし、コーナー本体５０は、Ｌ字の内側が壁側である。また、コーナー係合部５１は、コーナー本体５０の第１部分５ａ（又は第２部分５ｂ）の出隅側の半分に配されている。
【００６２】
以上のような壁面造作材１においても、幅木本体１１，１２は実施の形態１の幅木本体１１，１２と同様に壁Ｗ１，Ｗ２に取り付けられる。このとき、幅木本体１１となすべき固定部材２の固定本体２０の出隅側端部と、幅木本体１２となすべき固定部材２の固定本体２０の出隅側端部とが、出隅にて突き合わされる。被覆部材３は、固定部材２の出隅側端部以外に取り付けられる。
コーナー部材５は、幅木本体１１，１２夫々の固定部材２０の出隅側端部に取り付けられる。この結果、コーナー部材５は出隅における固定部材２，２同士の間隙及び被覆部材３，３同士の間隙を目隠しする。
壁面造作材１は、実施の形態１の壁面造作材１と同様の作用効果を奏する。
【００６３】
実施の形態  ３．
図８は、本発明の実施の形態３に係る壁面造作材が備えるキャップ部材６（又はキャップ部材７）の構成を略示する側面図である。
図９及び図１０は、キャップ部材６，７の構成を略示する背面図である。
本実施の形態の壁面造作材１は、実施の形態１，２の壁面造作材１と略同様の構成である。以下では、実施の形態１，２との差異について説明し、その他、実施の形態１，２に対応する部分には同一符号を付してそれらの説明を省略する。
【００６４】
本実施の形態の壁面造作材１は幅木として適用され、壁Ｗ１の床Ｆとの境界部分に取り付けられている。壁面造作材１の両端部は、入隅及び出隅以外（例えばドアの横手）に配されている。
壁面造作材１は、実施の形態１の幅木本体１１と同様の幅木本体１１と、夫々合成樹脂を用いてなるキャップ部材６，７とを備えている。
被覆部材３は、固定部材２の横方向両端部以外（即ち横方向中央部）に取り付けられている。
【００６５】
キャップ部材６は、固定部材２の左端部に取り付けられ、固定部材２及び被覆部材３夫々の左端部を覆う。キャップ部材７は、固定部材２の右端部に取り付けられ、固定部材２及び被覆部材３夫々の左端部を覆う。
キャップ部材６は、キャップ本体６０、キャップ係合部６１，６２、キャップ当接部６３，６４、及び２個の補強リブ６５，６５を備えている。
キャップ部材７は、キャップ本体７０、キャップ係合部７１，７２、キャップ当接部７３，７４、及び２個の補強リブ７５，７５を備えている。
【００６６】
図８〜図１０と実施の形態１，２の図５及び図７とを参照すればわかるように、キャップ部材６の構成は、実施の形態１のコーナー部材４の第１部分４ａの構成と略同様であり、キャップ部材７の構成は、実施の形態２のコーナー部材５の第１部分５ａの構成と同様である。
【００６７】
つまり、キャップ本体６０、キャップ係合部６１，６２、キャップ当接部６３，６４、及び補強リブ６５，６５は、実施の形態１のコーナー部材４におけるコーナー本体４０の第１部分４ａ、コーナー係合部４１，４２、コーナー当接部４３，４４、及び補強リブ４５，４５に対応する。
また、キャップ本体７０、キャップ係合部７１，７２、キャップ当接部７３，７４、及び補強リブ７５，７５は、実施の形態２のコーナー部材５におけるコーナー本体５０の第１部分５ａ、コーナー係合部５１，５２、コーナー当接部５３，５４、及び補強リブ５５，５５に相当する。
【００６８】
以上のような壁面造作材１は、実施の形態１，２の壁面造作材１と同様の作用効果を奏する。
なお、壁面造作材１の両端部は、入隅又は出隅に配されていてもよい。即ち、コーナー部材４，５をキャップ部材６，７に置き換えることができる。
実施の形態１〜３の固定部材２、被覆部材３、コーナー部材４，５、又はキャップ部材６，７は、合成樹脂を用いてなる構成に限定されず、例えば金属を用いてなる構成でもよい。
【００６９】
実施の形態  ４．
図１１は、本発明の実施の形態４に係る壁面造作材１の構成を略示する分解斜視図である。
本実施の形態の壁面造作材１は、実施の形態１の壁面造作材１と略同様の構成である。以下では、実施の形態１との差異について説明し、その他、実施の形態１に対応する部分には同一符号を付してそれらの説明を省略する。
【００７０】
本実施の形態の壁面造作材１は幅木として適用され、壁Ｗ１の床Ｆとの境界部分に取り付けられている。壁面造作材１は、幅木本体１３を備えている。
幅木本体１３は、幅木本体１１と略同様の構成であるが、幅木本体１１の２倍の長さを有する。このために、幅木本体１３は、各２個の固定部材２，２及び被覆部材３，３と、抑制部材８とを有する。
【００７１】
固定部材２，２は、横方向に並置されて壁Ｗ１に固定されている。左側の固定部材２の右端部と右側の固定部材２の左端部とは密着して突き合わされてもよく、多少の隙間を有して突き合わされてもよい。
図１１の左側部には、壁Ｗ１に固定されている固定部材２，２が示されている。
各被覆部材３は固定部材２に取り付けられている。従って、被覆部材３，３は横方向に並置される。左側の被覆部材３の右端部と右側の被覆部材３の左端部とは密着して突き合わされる。
図１１の右側部には、壁Ｗ１に固定されている固定部材２，２への被覆部材３，３の取り付けが示されている。
【００７２】
抑制部材８は、木質材又は合成樹脂等を用いてなる縦姿勢の横長の矩形板状部材である。抑制部材８の上下方向の長さは、固定部材２の固定係合部２１，２２間の長さよりも短い。
抑制部材８は、壁側の面が固定部材２，２の固定本体２０，２０に亘って接着剤で接着されており、手前側の面が被覆部材３，３の被覆本体３０，３０に亘って接着剤で接着されている。
幅木本体１３を形成する場合、作業者は、固定部材２，２の壁Ｗ１への取り付けと、抑制部材８の固定部材２，２への接着と、被覆部材３，３の固定部材２，２への取り付け及び抑制部材８への接着とを、この順に行なう。
【００７３】
なお、抑制部材８は、両面テープで固定部材２及び被覆部材３に接着されてもよい。また、抑制部材８自体が両面テープ又は接着剤であってもよい。
また、２個の固定部材２，２に替えて、固定部材２の２倍の長さを有する固定部材が用いられてもよい。
【００７４】
以上のような壁面造作材１は、実施の形態１の壁面造作材１と同様の作用効果を奏する。
しかも、隣り合う被覆部材３，３に接着されている抑制部材８が、被覆部材３，３の伸縮に伴う被覆部材３，３の接離（即ち被覆部材３，３同士の相対移動）を抑制する。
従って、収縮した被覆部材３，３間の隙間が広がることが抑制される。また、伸長した被覆部材３，３同士が衝突することが抑制される。
【００７５】
実施の形態  ５．
図１２は、本発明の実施の形態５に係る壁面造作材の構成を略示する斜視図である。図１２は、実施の形態１の図４に対応する。
本実施の形態の壁面造作材１は廻縁として適用されている。
本実施の形態の壁面造作材１は廻縁として適用され、壁Ｗ１の天井Ｃとの境界部分に取り付けられている。壁面造作材１は、幅木本体１４を備えている。
幅木本体１４は、幅木本体１１の天地が逆転した構成である。即ち、幅木本体１４は、天地が逆転した固定部材２と、天地が逆転した姿勢で固定部材２に取り付けられている被覆部材３とを有する。
【００７６】
固定部材２のスペーサ２３は、少なくとも一部が天井Ｃに接する。即ち、スペーサ２３は、固定本体２０と天井Ｃとの間に介在する。固定部材２を壁Ｗ１に固定する場合、作業者は、固定部材２のスペーサ２３を天井Ｃに接触させることによって、固定本体２０の上下方向の位置決めを行なう。
壁面造作材１の使用者は、斜め下側から壁Ｗ１と天井Ｃとの境界部分を視認する。この場合、スペーサ２３及び壁面造作材１の上側の天井Ｃは、何れも被覆部材３によって目隠しされる。故に、スペーサ２３も壁面造作材１の上側の天井Ｃの不陸も目立たない。換言すれば、使用者に見えるのは化粧シート３３に覆われた被覆部材３だけであるので、壁Ｗ１と天井Ｃとの境界部分における美観が向上する。
【００７７】
以上のような壁面造作材１は、床Ｆに替えて天井Ｃに関して、実施の形態１の壁面造作材１と同様の作用効果を奏する。
【００７８】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、壁面造作材１に、実施の形態１〜５に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００７９】
１    壁面造作材
２    固定部材
２０  固定本体
２１，２２  固定係合部
２３  スペーサ
３    被覆部材
３０  被覆本体
３１，３２  被覆係合部
４，５  コーナー部材
４１，４２，５１，５２  コーナー係合部
４３，４４，５３，５４  コーナー当接部
６，７  キャップ部材
６１，６２，７１，７２  キャップ係合部
６３，６４，７３，７４  キャップ当接部
８  抑制部材
Ｃ    天井
Ｆ    床
Ｗ１，Ｗ２  壁
【図１】
0006573446.tif 000002
【図２】
0006573446.tif 000003
【図３】
0006573446.tif 000004
【図４】
0006573446.tif 000005
【図５】
0006573446.tif 000006
【図６】
0006573446.tif 000007
【図７】
0006573446.tif 000008
【図８】
0006573446.tif 000009
【図９】
0006573446.tif 000010
【図１０】
0006573446.tif 000011
【図１１】
0006573446.tif 000012
【図１２】
0006573446.tif 000013